(57)【要約】【課題】家の屋根や天井の落下する衝撃的な荷重に耐える強度を持ち、強い地震にあっても転倒しない箪笥とすることにより、見栄えがよく軽量でありながら、家が倒壊したときにそばにいる人間を守ることのできる箪笥を提供することにある。【解決手段】柱材３１、上長枠材３２、下長枠材３４、上短枠材３３及び下短枠材３５で概略直方体の空間を囲う枠を構成し、複数のレール材３６と渡し材３７を取り付けたフレーム枠３とする。フレーム枠３に柱角材２３、長枠角材２１、短枠角材２２、短渡角材２５及び長渡角材２４を取り付けた箪笥枠２とする。箪笥枠２に天井板４、左側板５、右側板６、背面板８、床面板９、正面板７を取り付け、複数の抽斗１０を挿入し、左側板５と右側板６に上段梁１１、中段梁１２及び下段梁１３を取り付け、箪笥本体から突き出た端部に支柱梁１４を取り付けた梁付き箪笥１とする。【選択図】図１
0003130564.tif 000002
【実用新案登録請求の範囲】
【請求項１】
いずれも山形鋼からなる４本の柱材、４本の長枠材及び４本の短枠材とで構成したフレーム枠であって上面枠、右面枠、左面枠、正面枠、背面枠及び下面枠の６面の枠からなる概略直方体の空間を区切る枠形状を有するものであって、前記６面の枠はいずれも山形鋼の有する２枚の板部が互いに直角に交わる部分（以下単に「根本」という。）を内側にし、山形鋼において前記根本から最も離れた２カ所の端部（以下単に歯先」という。）を外側にして取り付けるものとし、
平面視において前記柱材は前記上面枠及び下面枠の４隅に位置し、前記柱材の片方の板部の根本から歯先の方向を前後方向に向け、他方の板部の根本から歯先の方向を左右方向に向け、それぞれ４本の前記柱材を互いに並行に配置し、
上部において前記４本の柱材の内の２本に対してその両端においてそれぞれ連結する２本の上長枠材と２本の上短枠材は、片方の板部の根本から歯先の方向を垂直にして歯先を上に向け、他方の板部の根本から歯先の方向を水平にして配置し、
下部において前記４本の柱材の内の２本に対してその両端においてそれぞれ連結する２本の下長枠材と２本の下短枠材は、片方の板部の根本から歯先の方向を垂直にして歯先を下に向け、他方の板部の根本から歯先の方向を水平にして配置し、
前記右面枠と左面枠にはそれぞれ複数の山形鋼からなるレール材を前記短枠材に対して平行に取り付け、前記レール材の片方の板部の根本から歯先の方向を水平にして、左右のレール材の歯先を互いに内側に向けて取り付け、前記左右のレール材の水平位置を合わせることにより複数組の引出レールを構成し、前記背面枠には左右の柱材をつなぐ複数の渡し材を取り付けたことを特徴とするフレーム枠。
【請求項２】
請求項１に記載したフレーム枠であって、４本の柱材、４本の長枠材、４本の短枠材、複数のレール材の半分以上及び複数の渡し材の半分以上に、それぞれ複数の円錐形の穴（以下単に「さら穴」という。）を設けたことを特徴とするフレーム枠。
【請求項３】
請求項１又は請求項２のいずれかに記載したフレーム枠であって、右面枠と左面枠の上部と下部にそれぞれナットを取り付け、前記ナットの中心軸が左右方向を向くようにしたことを特徴とするフレーム枠。
【請求項４】
請求項１〜請求項３のいずれかに記載したフレーム枠において、４本の柱材の山形鋼の２枚の板部に挟まれた概略四角柱形状の空間部（以下単に「欠落部」という。）に木材の柱角材を、４本の長枠材の欠落部に木材の長枠角材を、４本の短枠材の欠落部に木材の短枠角材を、レール材の少なくとも半分以上に木材の短渡角材を、さらに渡し材の少なくとも半分以上に木材の長渡角材をそれぞれ取り付けたことを特徴とする箪笥枠。
【請求項５】
請求項４に記載した箪笥枠の上面に天井板を、背面に背面板を、右側面に右側板を、左側面に左側板を、下面に床面板をそれぞれ取り付け、複数組の引出レールの上に抽斗の両端部を載せて正面側から複数の抽斗を挿入し、前記複数の抽斗の回りの正面に正面板を取り付けたことを特徴とする箪笥。
【請求項６】
請求項５に記載した箪笥であって、右側板と左側板の外側において上部及び下部にそれぞれ上段梁と下段梁を取り付け、前記上段梁と下段梁はいずれも背面板から正面板までの距離に対して１．５〜２倍の長さを有するものとし、箪笥本体から突き出た上段梁と下段梁の端部を連結する支柱梁を取り付けたことを特徴とする梁付き箪笥。
【考案の詳細な説明】
【技術分野】
【０００１】
本考案は、和箪笥、洋箪笥、押し入れタンス、布団タンス、チェストなどと呼ばれることもある箪笥であって、耐震性と安全性の高い箪笥に関するものである。
【背景技術】
【０００２】
耐震性の高い家具としては、家具の上面と家の天井との間を伸縮部材で連結したり、家具の両側面に床から天井に至る側板を取り付けて、家具の転倒を防止する発明があった（例えば、特許文献１、２、３参照。）。
また、家具の底面に弾性材の敷設部材を取り付けて家具の転倒を防止する発明（例えば、特許文献４参照。）や、振り子を取り付けることにより家具の揺れを減衰させる発明もあった（例えば、特許文献５参照。）。
しかし、これらの発明は家具が転倒することは防止できるが、家が倒壊して屋根や天井が壊れ落ちたときに、家具のそばにいる人間を守ることはできない問題があった。重い屋根と天井が家具の上に落下したときに家具が破壊してしまうからである。
耐震性の高い収納家具としては角パイプ等からなる柱材、長枠材、短枠材などで構成した耐震収納家具の考案があった（例えば、特許文献６参照）。かかる耐震収納家具は強度が高いため天井や壁などが落下しても壊れることなく、大きな地震が起きても十分安全な生活空間を提供することができるものである。
しかしかかる考案は重量的に重くなるためさらなる軽量化が求められると共に、天井や壁が破壊するような震度の高い地震が起きたときには転倒するおそれがあった。
【特許文献１】特開平  ８−２５２１３６号公報
【特許文献２】特開２００３−３０４９４６号公報
【特許文献３】特開２００５−１５２５１２号公報
【特許文献４】特開平  ９−  ４７３３３号公報
【特許文献５】特開平１１−  ５６５０５号公報
【特許文献６】登録実用新案第３１２５２７７号公報
【考案の開示】
【考案が解決しようとする課題】
【０００３】
本考案の目的は、上記した従来技術の欠点を除くためになされたもので、見栄えがよく軽量でありながら、家が倒壊したときに屋根や天井が落下してかかる衝撃的な荷重を支える強度を有し、天井や壁が破壊するような震度の高い地震が起きたときにも転倒することがなく、そばにいる人間を守ることのできる箪笥を提供することにある。
【課題を解決するための手段】
【０００４】
いずれも山形鋼からなる４本の柱材、４本の長枠材及び４本の短枠材とで構成した概略直方体の空間を仕切るフレーム枠であって、右面枠と左面枠の内側にはそれぞれ複数の山形鋼からなるレール材を取り付けて複数組の引き出しレールを構成し、背面枠には複数の渡し材を取り付けたフレーム枠とする。
またフレーム枠の４本の柱材の山形鋼の２枚の板部に挟まれた概略四角柱形状の空間部（以下単に「欠落部」という。）に木材からなる柱角材を、４本の長枠材の欠落部に木材からなる長枠角材を、４本の短枠材の欠落部に木材からなる短枠角材を、レール材の少なくとも半分以上に木材からなる短渡角材を、さらに渡し材の少なくとも半分以上に木材からなる長渡角材をそれぞれ取り付けた箪笥枠とする。
また箪笥枠の上面に天井を、背面に背面板を、右側の側面に右側板を、左側の側面に左側板を、下面に床面板をそれぞれ取り付け、複数組の引出レールの上に抽斗の両端部を載せ、正面側から複数の抽斗を挿入する。そして複数の抽斗の回りに正面板を取り付けた箪笥とする。
さらに右側板と左側板の外側において上部及び下部にそれぞれ長大な上段梁と下段梁を取り付け、箪笥本体から突き出た上段梁と下段梁の端部を連結する支柱梁を取り付けた梁付き箪笥とする。
【考案の効果】
【０００５】
本考案により、地震が起きて家が倒壊した場合に、屋根や天井が落下してかかる衝撃的な荷重に耐えて、壊れない強度と転倒しない安定性を持つ箪笥を提供することができた。このため、見栄えがよく軽量な箪笥でありながら、そばにいる人間を守ることのできるという大きな効果が得られた。
【考案を実施するための最良の形態】
【０００６】
いずれも山形鋼からなる４本の柱材、４本の長枠材及び４本の短枠材とで構成したフレーム枠であって上面枠、右面枠、左面枠、正面枠、背面枠及び下面枠の６面の枠からなる概略直方体の空間を区切る枠形状を有するフレーム枠とする。
そして６面の枠はいずれも山形鋼の有する２枚の板部が互いに直角に交わる部分（以下単に「根本」という。）を内側にし、山形鋼において根本から最も離れた２カ所の端部（以下単に歯先」という。）を外側にして取り付けるものとする。
また平面視において柱材は上面枠及び下面枠の４隅に位置し、柱材の片方の板部の根本から歯先の方向を前後方向に向け、他方の板部の根本から歯先の方向を左右方向に向け、それぞれ４本の柱材を互いに並行に配置する。
上部において４本の柱材の内の２本に対してその両端においてそれぞれ連結する２本の上長枠材と２本の上短枠材は、片方の板部の根本から歯先の方向を垂直にして歯先を上に向け、他方の板部の根本から歯先の方向を水平にして配置する。
また下部において前記４本の柱材の内の２本に対してその両端においてそれぞれ連結する２本の下長枠材と２本の下短枠材は、片方の板部の根本から歯先の方向を垂直にして歯先を下に向け、他方の板部の根本から歯先の方向を水平にして配置する。
また右面枠と左面枠にはそれぞれ複数の山形鋼からなるレール材を短枠材に対して平行に取り付け、レール材の片方の板部の根本から歯先の方向を水平にして、左右のレール材の歯先を互いに内側に向けて取り付け、左右のレール材の水平位置を合わせることにより複数組の引出レールを構成する。このときレール材の歯先が正面視において柱材の内側の面より１５ｍｍ以上内側に突き出るようにして、柱材を切り欠かなくても抽斗を挿入可能にすることが好ましい。そして背面枠には左右の柱材をつなぐ複数の渡し材を取り付けたフレーム枠とする。
フレーム枠の材質は鋼材やアルミ合金材など金属材料が好ましく、柱材や枠材のサイズは３０×３０×ｔ３〜５０×５０×ｔ４ｍｍの山形鋼が、レール材のサイズは２５×２５×ｔ３〜４０×４０×ｔ３ｍｍの山形鋼が、渡し材には平鋼が適しておりサイズは２５×ｔ３〜４４×ｔ４．５ｍｍの平鋼が好ましい。
またそれぞれの部材の接合部は溶接、ボルト締め又はリベット締めなどにより強固に結合させることが好ましい。
【０００７】
以上のように構成することにより上面枠と下面枠は平面視において、共に内側に長方形の空間を有し、外側の形状は共に４隅に山形鋼の断面を有するため、概略４角形状の欠落部を４隅に有する概略長方形状を呈するものとなる。
また右面枠と左面枠の外側の形状は、共に右側面視（又は左側面視）において２本の支柱の歯先の下端から上端までの線が垂直の両辺を構成し、２本の支柱の上端と上短枠材の歯先の線が上辺を構成し、２本の支柱の下端と下短枠材の歯先の線が下辺を構成して、長方形状を呈するものとなる。
また正面枠と背面枠の外側の形状は共に正面視（又は背面視）において２本の支柱の歯先の下端から上端までの線が垂直の両辺を構成し、２本の支柱の上端と上長枠材の歯先の線が上辺を構成し、２本の支柱の下端と下長枠材の歯先の線が下辺を構成する長方形状を呈するものとなる。
柱材、上下長枠材及び上下短枠材には木ネジのネジ部を貫通させるための複数の穴を明けたり、複数のボルトやナットなどを溶接したり、複数のネジ穴を明けたりすることが好ましい。山形鋼の欠落部に木材からなる角材を取り付けるためである。
引き出しレールは抽斗の両端部を山形鋼の水平の板部に載せてスライドするためのレールとして使用すると共に、一部のレール材の垂直の板部に木材からなる角材を取り付けるために使用する。このため一部のレール材の垂直の板部には木ネジのネジ部を貫通させるための複数の穴を明けたり、複数のボルトやナットを溶接したり、複数のネジ穴を明けたりすることが好ましい。  
また、渡し材の全て又は一部は木材からなる角材を取り付けるために使用する。このため一部の渡し材の板部に木ネジのネジ部を貫通させるための複数の穴を明けたり、複数のボルトやナットを溶接したり、複数のネジ穴を明けたりすることが好ましい。
【０００８】
また上記したフレーム枠であって、４本の柱材、４本の長枠材、４本の短枠材、複数のレール材の半分以上及び複数の渡し材の半分以上に、それぞれ木ネジを取り付けるための複数の円錐形の穴（以下単に「さら穴」という。）を設けたフレーム枠とする。
柱材、長枠材、短枠材などにボルト又はナットを溶接したりネジ穴をあけておき、予めボルト貫通用の穴を明けた木材からなる角材を取り付けて、ナット又はボルトで固定する方法もあるが、木ネジを使用する方が簡便で軽量にする効果が得られるからである。また、さら穴を明けておくと木ネジの頭部が山形鋼の板部から突出しないからである。
また上記したいずれかのフレーム枠であって、右面枠と左面枠の上部と下部にそれぞれナットを取り付け、ナットの中心軸が左右方向を向くようにしたフレーム枠とする。
ナットは上段梁と下段梁を取り付けるために使用しサイズはＭ１２〜Ｍ２０程度が好ましい。ナットの取り付け位置は右面枠及び左枠面において、２本の柱材と上下短枠材がそれぞれ結合する４カ所の角の内側が好ましく、中段梁を設ける場合はさらに追加して取り付ける。左右の枠面の少なくとも合計８カ所にナットを取り付け、ナットの中心軸を左右方向に向け水平にして取り付ける。
また上記したいずれかのフレーム枠において、４本の柱材の欠落部に木材の柱角材を、４本の長枠材の欠落部に木材の長枠角材を、４本の短枠材の欠落部に木材の短枠角材を、レール材の少なくとも半分以上に木材の短渡角材を、さらに渡し材の少なくとも半分以上に木材の長渡角材をそれぞれ取り付けた箪笥枠とする。
柱材、長枠材、短枠材、レール材、渡し材に複数のボルトやナットを溶接したりネジ穴を加工しておき、ボルト貫通用の穴を明けた柱角材、長枠角材、短枠角材、短渡角材、長渡角材を取り付けて、ナットやボルトで固定する方法がある。このときはボルト貫通用の穴に座繰り穴を加工してナット、ボルトの先端又はボルトの頭部が外に出ないようにすることが好ましい。
さらに柱材、長枠材、短枠材、レール材、渡し材に複数の穴又はさら穴を明けておき、木ネジのネジ部を穴又はさら穴に貫通させて、木ネジのネジ部を木材にねじ込んで固定する方法も好ましい。
【０００９】
また上記した箪笥枠の上面に天井板を、背面に背面板を、右側面に右側板を、左側面に左側板を、下面に床面板をそれぞれ取り付け、複数組の引出レールの上に抽斗の両端部を載せて正面側から複数の抽斗を挿入し、複数の抽斗の回りの正面に正面板を取り付けた箪笥とする。
天井板、右側板、左側板、正面板は木材の板の表面をきれいに仕上げた、いわゆる化粧板を使用して見栄えを良くすることが好ましいが、背面板と床面板には化粧板を使用する必要はない。箪笥枠の上面、背面、右側面、左側面、下面及び正面にはそれぞれ木材の面があるので、木ネジを使用したり、木くぎや金くぎなどを打ったり、接着剤を使用したりして木材の面に取り付けることが好ましい。
また上記した箪笥であって、右側板と左側板の外側において上部及び下部にそれぞれ上段梁と下段梁を取り付け、上段梁と下段梁はいずれも背面板から正面板までの距離に対して１．５〜２倍の長さを有するものとし、箪笥本体から突き出た上段梁と下段梁の端部を連結する支柱梁を取り付けた梁付き箪笥とする。また上段梁と下段梁の中間に中段梁を取り付けるとさらに好ましい。
予めフレーム枠にナットを溶接しておき、ナットのネジ穴に合わせて右側板及び左側板にも穴を明けておき、上段梁、下段梁又は中段梁と右側板又は左側板を貫通させてボルトのネジをフレーム枠に取り付けたナットにねじ込んで固定する。
上段梁、下段梁及び中段梁はいずれも鋼鉄やアルミ合金などの金属材料からなる角パイプとすることも可能であるが、軽量化と見栄えを良くするため木材を使用することが好ましい。このとき上段梁、下段梁、中段梁のボルト取り付け用の穴には座繰り穴を設けて、ボルトの頭部が突出しないようにすることが好ましい。
また支柱梁は鋼鉄やアルミ合金などの金属材料からなる角パイプとすることもできるが、軽量化と見栄えを良くするため木材を使用することが好ましい。上段梁、下段梁又は中段梁に対する支柱梁の取り付けは木ネジ、くぎ打ち又はボルト締めなどとすることが好ましい。
【実施例１】
【００１０】
以下本考案の実施例１を図５に示して説明する。実施例１のフレーム枠３はいずれも鋼材からなる４本の柱材３１、２本の上長枠材３２、２本の上短枠材３３、２本の下長枠材３４及び２本の下短枠材３５を溶接して構成した概略直方体の空間を区切る枠形状を有している。
柱材３１、上長枠材３２、下長枠材３４、上短枠材３３、下短枠材３５はいずれも４０×４０×ｔ３ｍｍの等辺山形鋼とし、柱材３１の長さは１５００ｍｍ、上下長枠材３２、３４の長さは８２０ｍｍ、上下短枠材３３、３５の長さは３７０ｍｍとした。この結果としてフレーム枠３は上下の高さ１５００ｍｍ×左右の幅９００ｍｍ×前後の奥行き４５０ｍｍのサイズを有するものとした。
いずれの山形鋼も根本を内側にして歯先を外側にして取り付けた。柱材３１は歯先を前後左右の外側に向け、上長枠材３２は片方の歯先を前後の外側に向け他方の歯先を上に向け、上短枠材３３は片方の歯先を左右の外側に向け他方の歯先を上に向け、下長枠材３４は片方の歯先を前後の外側に向け他方の歯先を下に向け、下短枠材３５は片方の歯先を左右の外側に向け他方の歯先を下に向けてそれぞれ取り付けた。
４本の柱材３１は平面視において上面枠３ａ及び下面枠３ｆの４隅に位置し、それぞれに１０個のさら穴２７を明けた。また４本の柱材３１はフレーム枠３の下端から上端まで延びるように構成した。
そして柱材３１の上部において柱材の板部にその両端をそれぞれ突き当てて連結する２本の上長枠材３２と２本の上短枠材３３を取り付けて上面枠３ａを構成し、柱材３１の下部において柱材の板部にその両端をそれぞれ突き当てて連結する２本の下長枠材３４と２本の下短枠材３５を取り付けて下面枠３ｆを構成した。
また上下長枠材３２、３４にはそれぞれ６個のさら穴２７を、上下短枠材３３、３５にはそれぞれ４個のさら穴２７を明けた。
【００１１】
以上の結果、上面枠３ａ及び下面枠３ｆは平面視において共に内側に長方形の空間を有し、外側の形状は共に平面視において４隅に山形鋼の断面を有することになる。このため上面枠３ａ及び下面枠３ｆは平面視において、上下長枠材３２、３４の前後方向の外側の歯先が長辺を、上下短尺材３３、３５の左右方向の外側の歯先が短辺を、それぞれ構成する概略長方形であって、柱材３１たる山形鋼が区画する概略４角形状の欠落部を４隅に有するものとなる。
また側面視において、右面枠３ｂ及び左面枠３ｃの外側の形状は柱材３１の前後方向の外側の歯先が長辺を、上下短尺材３３、３５の上下方向の外側の歯先及び柱材３１の上下の端部が短辺を、それぞれ構成する長方形状を有するものとなる。
また正面視（又は背面視）において、正面枠３ｅ及び背面枠３ｄの外側の形状は柱材３１の左右方向の外側の歯先が長辺を、上下長尺材３２、３４の上下方向の外側の歯先及び柱材３１の上下の端部が短辺を、それぞれ構成する長方形状を有するものとなる。
右面枠３ｂと左面枠３ｃの正面視における柱材３１の内側にはそれぞれ９本の鋼材からなるレール材３６であって、サイズ２５×２５×ｔ３ｍｍの山形鋼のレール材３６を上下短枠材３３、３５に対して平行に取り付け、レール材３６の片方の板部の根本から歯先の方向を水平にして歯先を互いに内側に向けて取り付け、左右のレール材３６の水平位置を合わせることにより合計９組の引出レールを構成した。９本のレール材３６の一本おきのレール材３６において、山形鋼の根本から歯先の方向が垂直の板部にそれぞれ３個のさら穴２７を明けた。
また、背面枠３ｄには４本の鋼材からなる平鋼であってサイズ３２×ｔ３ｍｍの平鋼を上下長枠材３２、３４に対して平行に取り付けて渡し材３７とした。渡し材３７にはそれぞれ６個のさら穴２７を明けた。
側面視における右面枠３ｂ及び左面枠３ｃの枠の内側であって、柱材３１と上下短枠材３３、３５の結合部近傍にＭ１４のナット３８を、また下から７００〜７７０ｍｍの適当な高さの位置であって柱材３１の内側にもＭ１４のナット３８を取り付けた。いずれのナット３８も中心軸が水平であって左右方向を向くようにして取り付けた。
【実施例２】
【００１２】
次に実施例２を図４に示し説明する。実施例２は実施例１のフレーム枠３の４本の柱材３１の欠落部にそれぞれ木材からなる柱角材２３を、４本の上下長枠材３２、３４の欠落部にそれぞれ木材からなる長枠角材２１を、４本の上下短枠材３３、３５の欠落部にそれぞれ木材からなる短枠角材２２を、さら穴を明けたレール材３６にそれぞれ木材からなる短渡角材２５を、渡し材３７の全部に木材からなる長渡角材２４を取り付けて箪笥枠２としたものである。
そして２本の上長枠材３２に取り付けた長枠角材２１と２本の上短枠材３３に取り付けた短枠角材の上側の面を揃えてこれを上面２ａとし、２本の下長枠材３４に取り付けた長枠角材２１と２本の下短枠材３５に取り付けた短枠角材２２の下側の面を揃えてこれを下面２ｆとした。
また前側の２本の柱材３１に取り付けた柱角材２３と前側の上下長枠材３２、３４に取り付けた長枠角材２１の前側の面を揃えてこれを正面２ｅとし、後側の２本の柱材３１に取り付けた柱角材２３と後側の上下長枠材３２、３４に取り付けた長枠角材２１と４本の渡し材に取り付けた長渡角材２４の後側の面を揃えてこれを背面２ｄとした。  また右側の２本の柱材３１に取り付けた柱角材２３と右側の上下短枠材３３、３５に取り付けた短枠角材２２と４本のレール材３６に取り付けた短渡角材２５の右側の面を揃えてこれを右側面２ｂとし、左側の２本の柱材３１に取り付けた柱角材２３と左側の上下短枠材３３、３５に取り付けた短枠角材２２と４本のレール材３６に取り付けた短渡角材２５の左側の面を揃えてこれを左側面２ｃとした。
欠落部に角材を取り付けるときには、等辺山形鋼の根本おいて２枚の板部が結合する内側に４．５ｍｍのアール部があるので、柱角材２３、長枠角材２１、短枠角材２２のそれぞれアール部に接する角を面取りして取り付けた。
柱材３１、上下長枠材３２、３４、上下短枠材３３、３５、レール材３６及び渡し材３７にはそれぞれ複数のさら穴２７が明けてあるので、各角材２１〜２５の反対側からさら木ネジ２６をさら穴２７に挿入して、ネジ部を各角材２１〜２５にねじ込むことにより各角材２１〜２５を取り付けた。
【実施例３】
【００１３】
次に実施例３を図１〜３に示し説明する。実施例３は実施例２の箪笥枠２の上面２ａに天井版４を、右側面２ｂに右側板６を、左側面２ｃに左側板５を、背面２ｄに背面板８を、下面２ｆには床面板９を、正面２ｅの抽斗１０回りの面に正面板７を取り付け、左右のレール材３６で構成した９組の引出レールにそれぞれ抽斗１０の両端部を載せて、正面２ｅ側から取っ手１０ａを有する抽斗１０を挿入して箪笥を構成した。
天井版４は１０ｍｍ厚さの化粧板とし、左右側板５、６は厚さ５ｍｍの化粧板とし、背面版８は厚さ５ｍｍのベニヤ板とし、床面板９は厚さ１０ｍｍのベニヤ板とし、正面板７は厚さ１０ｍｍの化粧板とした。それぞれの板４〜９はくぎ打ちにより各角材２１〜２５に取り付けた。
左右側板５、６にはナット３８の中心に合わせて直径１６ｍｍの穴をそれぞれ６個ずつ明けておき、上部に上段梁１１を下部に下段梁１３を中間に中段梁１２をそれぞれ取り付け、上段梁１１、下段梁１３及び中段梁１２の長さはそれぞれ７５０ｍｍとし、片方の端部を背面板８に揃えて取り付けた。また箪笥本体から突き出た他方の端部を連結する支柱梁１４をくぎ４２を使用して取り付けることにより梁付き箪笥１を構成した。
上段梁１１、下段梁１３及び中段梁１２には座繰り穴３９を有する貫通穴を明け、平座金４１を通してボルト４０を上段梁１１、下段梁１３又は中段梁１２に挿入して左側板５又は右側板６を貫通してナット３８にねじ込むことにより、上段梁１１、下段梁１３及び中段梁１２を固定した。座繰り穴３９を設けたのでボルトの頭部が外に突出することはない。
本実施例の梁付き箪笥１は強度が高いため、地震により家が倒壊して屋根や天井が壊れ落ちたときに壊れることはなく、震度の高い地震にあっても転倒することがないため安全性が高く、梁付き箪笥１のそばにいる人間を守ることができる。
【産業上の利用可能性】
【００１４】
本考案は、箪笥を製造販売する産業で利用される。また、鉄製の枠部品やアルミ合金製の枠部品を製造販売する産業においても利用される。
【図面の簡単な説明】
【００１５】
【図１】梁付き箪笥の斜視図である。
【図２】図１のＪ−Ｊ視断面図である。
【図３】図１のＫ−Ｋ視断面図である。
【図４】箪笥枠の斜視図である。
【図５】フレーム枠の斜視図である。
【符号の説明】
【００１６】
１  ：梁付き箪笥            ２  ：箪笥枠                ２ａ：上面
２ｂ：右側面                ２ｃ：左側面                ２ｄ：背面
２ｅ：正面                  ２ｆ：下面                  ３  ：フレーム枠
３ａ：上面枠                ３ｂ：右面枠                ３ｃ：左面枠
３ｄ：背面枠                ３ｅ：正面枠                ３ｆ：下面枠
４  ：天井板                ５  ：左側板                ６  ：右側板
７  ：正面板                ８  ：背面板                ９  ：床面板
１０  ：抽斗                １０ａ：取っ手              １１  ：上段梁
１２  ：中段梁              １３  ：下段梁              １４  ：支柱梁
２１  ：長枠角材            ２２  ：短枠角材            ２３  ：柱角材
２４  ：長渡角材            ２５  ：短渡角材            ２６  ：さら木ネジ
２７  ：さら穴              ３１  ：柱材                ３２  ：上長枠材
３３  ：上短枠材            ３４  ：下長枠材            ３５  ：下短枠材
３６  ：レール材            ３７  ：渡し材              ３８  ：ナット
３９  ：座繰り穴            ４０  ：ボルト              ４１  ：平座金
４２  ：くぎ
【図１】
0003130564.tif 000003
【図２】
0003130564.tif 000004
【図３】
0003130564.tif 000005
【図４】
0003130564.tif 000006
【図５】
0003130564.tif 000007